(57)【要約】【課題】柱の上端部にひびが入るおそれのない木造建築用連結具を提供する。【解決手段】連結部分１３，２５と横側差し込み部分１４，１５，２６，２７を備えた２枚１組の金属製連結板１０，１１を有し、第１連結板１０の連結部分１３に、その下面から上方に向かって延びる第１係合用縦溝１０ａが形成され、第２連結板１１の連結部分２５に、その上面から下方に向かって延びる第２係合用縦溝１１ａが形成され、両係合用縦溝１０ａ，１１ａを係合させることにより両連結部分１３，２５を交差させた状態で連結可能にした連結具であり、第２連結板１１の連結部分２５に、第２係合用縦溝１１ａに直交する第２切欠き部２５ａが形成され、第１連結板１０の連結部分１３に、両連結部分１３，２５を交差させた状態で第２切欠き部２５ａと交差する第１切欠き部１３ａが形成され、上記交差する両切欠き部１３ａ，２５ａに圧力緩和板１２を保持可能にしている。【選択図】図４
0003139568.tif 000002
【実用新案登録請求の範囲】
【請求項１】
連結部分と、この連結部分の両横端面の少なくとも一方から延設される固定部分とを備えた２枚１組の金属製連結板を有し、一方の連結板の連結部分に、その上面から下方に向かって延びる第１係合用縦溝が形成されているとともに、他方の連結板の連結部分に、その下面から上方に向かって延び上記第１係合用縦溝に着脱自在に係合する第２係合用縦溝が形成され、上記両係合用縦溝を係合させることにより上記両連結部分を交差させた状態で連結可能にした連結具であって、上記一方の連結板の連結部分に、上記第１係合用縦溝に直交する第１切欠き部が形成され、上記他方の連結板の連結部分の、上記第１切欠き部に対応する部分に、上記両連結部分を交差させた状態で上記第１切欠き部と交差する第２切欠き部が形成され、上記交差する両切欠き部に板状体を保持可能にしたことを特徴とする木造建築用連結具。
【請求項２】
木造建築を構成する垂直材の上端部に、少なくとも２本の横架材の一端部を連結するために設けられ、連結部分と、この連結部分の両横端面の少なくとも一方から延設される固定部分とを備えた２枚１組の金属製連結板を有し、一方の連結板の連結部分に、その上面から下方に向かって延びる第１係合用縦溝が形成されているとともに、他方の連結板の連結部分に、その下面から上方に向かって延び上記第１係合用縦溝に着脱自在に係合する第２係合用縦溝が形成され、上記両係合用縦溝を係合させることにより上記両連結部分を交差させた状態で、これら両連結部分を、上記垂直材の上端部に形成された凹部に収容して固定するとともに、各固定部分を、上記各横架材の一端部に形成された凹部に収容して固定可能にした連結具であって、上記一方の連結板の連結部分に、上記第１係合用縦溝に直交する第１切欠き部が形成され、上記他方の連結板の連結部分の、上記第１切欠き部に対応する部分に、上記両連結部分を交差させた状態で上記第１切欠き部と交差する第２切欠き部が形成され、上記交差する両切欠き部に板状体を保持可能にし、上記垂直材の上端部の凹部に両連結部分を収容して固定した状態で、上記交差する両切欠き部に保持された板状体を上記垂直材の上端部で支受可能にしたことを特徴とする木造建築用連結具。
【請求項３】
上記垂直材が柱等で、上記横架材が梁，桁等である請求項２記載の木造建築用連結具。
【請求項４】
上記垂直材の上端部に形成された凹部が、上記垂直材の上端面を横切る状態でこの上端面から垂直材の長手方向に沿って延びる第１のスリットと、この第１のスリットと交差し上記上端面を横切る状態でこの上端面から垂直材の長手方向に沿って延びる第２のスリットとからなり、上記各横架材の一端部に形成された凹部が、上記各横架材の一端部の端面を横切る状態でこの端面から横架材の長手方向に沿って延びるスリットからなる請求項２または３記載の木造建築用連結具。
【請求項５】
上記垂直材の上端面に、上記交差する両切欠き部に保持された板状体を挿入しうる板状体挿入用凹部が形成され、この板状体挿入用凹部の底面で、上記垂直材の上端部の凹部に両連結部分を収容して固定した状態で上記両切欠き部に保持された板状体を支受可能にした請求項２または３記載の木造建築用連結具。
【請求項６】
上記連結部分の両横端面の一方のみから固定部分が延設されている請求項１〜５のいずれか一項に記載の木造建築用連結具。
【請求項７】
上記連結部分の両横端面の双方から固定部分が延設されている請求項１〜５のいずれか一項に記載の木造建築用連結具。
【請求項８】
上記連結部分の両横端面の双方から延設される両固定部分の下面から凸部が突設され、これら両凸部間に垂直材が内嵌状に配設されている請求項７記載の木造建築用連結具。
【請求項９】
上記連結部分の上端面から固定部分が延設されている請求項１〜８のいずれか一項に記載の木造建築用連結具。
【請求項１０】
上記連結部分の両横端面の少なくとも一方から延設される固定部分の上面もしくは下面から、ブレースを連結，固定するためのブレース取付部分が突設されている請求項１〜９のいずれか一項に記載の木造建築用連結具。
【請求項１１】
上記連結部分の両横端面の少なくとも一方から延設される固定部分の上面もしくは下面にブレース取付部分が着脱自在に突設されている請求項１０記載の木造建築用連結具。
【請求項１２】
上記連結部分の上端面から延設される固定部分の横側面の少なくとも一方から、ブレースを連結，固定するためのブレース取付部分が突設されている請求項９記載の木造建築用連結具。
【請求項１３】
上記連結部分の上端面から延設される固定部分の横側面の少なくとも一方からブレース取付部分が着脱自在に突設されている請求項１２記載の木造建築用連結具。
【考案の詳細な説明】
【技術分野】
【０００１】
本考案は、木造建築を構成する構造用材（複数本の垂直材および横架材等）を連結するための木造建築用連結具に関するものである。
【背景技術】
【０００２】
本出願人は、木造建築を構成する構造用材（柱等の垂直材と梁等の横架材等）を接合するために、図１６に示すような木造建築用連結具を提案している。この木造建築用連結具は、第１および第２の連結板５１，５２を交差状に連結したもので構成されている。上記第１連結板５１は、中央の連結部分５３と、この連結部分５３の両横端面から延設される第１および第２横側差し込み部分５４，５５と、上記連結部分５３の上端面から延設される上側差し込み部分５６とを備え、上記連結部分５３には、その下端面から上方に向かって延びる第１係合用縦溝５１ａが形成されている。一方、上記第２連結板５２は、中央の連結部分５７と、この連結部分５７の両横端面から延設される第１および第２横側差し込み部分５８，５９とを備え、上記連結部分５７には、その上端面から下方に向かって延びる第２係合用縦溝５２ａが形成されている。
【０００３】
このような木造建築用連結具を用い、所定の柱６１（図１７参照）の上端部６１ａに４本の梁６２と別の柱６１′を接合する場合には、まず、上記連結具の第１連結板５１を上側にし、第２連結板５２を下側にし、これら両連結板５１，５２を直交させた状態で両連結板５１，５２の係合用縦溝５１ａ，５２ａ同士を係合させることにより、両連結板５１，５２を連結して木造建築用連結具とする（図１６参照）。ついで、両連結板５１，５２を柱６１の上端部６１ａの十字状スリット６４上に載置して固定する（図１８参照）。つぎに、柱６１の上端部６１ａに梁６２の一端部６２ａを近付け、上記連結具の横側差し込み部分５４（５５，５８，５９）を梁６２の一端部６２ａのスリット６５に差し込んで固定する。この作業を各梁６２に対して行う。また、柱６１の上端部６１ａに別の柱６１′の下端部６１ｂを近付け、上側差し込み部分５６を別の柱６１′の下端部６１ｂの十字状スリット６４の一方に差し込んで固定することを行う。
【特許文献１】実用新案登録第３１３２９９３号公報
【考案の開示】
【考案が解決しようとする課題】
【０００４】
しかしながら、上記の木造建築用連結具では、柱６１の上端部６１ａの十字状スリット６４に対し、その上側に連結される別の柱６１′の自重等の大きな負荷が、上記両連結板５１，５２を介して作用するため、長期間の使用により十字状スリット６４の根元部分にひびが入るおそれがある。
【０００５】
本考案は、このような事情に鑑みなされたもので、柱の上端部にひびが入るおそれのない木造建築用連結具の提供をその目的とする。
【課題を解決するための手段】
【０００６】
上記の目的を達成するために、本考案は、連結部分と、この連結部分の両横端面の少なくとも一方から延設される固定部分とを備えた２枚１組の金属製連結板を有し、一方の連結板の連結部分に、その上面から下方に向かって延びる第１係合用縦溝が形成されているとともに、他方の連結板の連結部分に、その下面から上方に向かって延び上記第１係合用縦溝に着脱自在に係合する第２係合用縦溝が形成され、上記両係合用縦溝を係合させることにより上記両連結部分を交差させた状態で連結可能にした連結具であって、上記一方の連結板の連結部分に、上記第１係合用縦溝に直交する第１切欠き部が形成され、上記他方の連結板の連結部分の、上記第１切欠き部に対応する部分に、上記両連結部分を交差させた状態で上記第１切欠き部と交差する第２切欠き部が形成され、上記交差する両切欠き部に板状体を保持可能にした木造建築用連結具を第１の要旨とする。また、木造建築を構成する垂直材の上端部に、少なくとも２本の横架材の一端部を連結するために設けられ、連結部分と、この連結部分の両横端面の少なくとも一方から延設される固定部分とを備えた２枚１組の金属製連結板を有し、一方の連結板の連結部分に、その上面から下方に向かって延びる第１係合用縦溝が形成されているとともに、他方の連結板の連結部分に、その下面から上方に向かって延び上記第１係合用縦溝に着脱自在に係合する第２係合用縦溝が形成され、上記両係合用縦溝を係合させることにより上記両連結部分を交差させた状態で、これら両連結部分を、上記垂直材の上端部に形成された凹部に収容して固定するとともに、各固定部分を、上記各横架材の一端部に形成された凹部に収容して固定可能にした連結具であって、上記一方の連結板の連結部分に、上記第１係合用縦溝に直交する第１切欠き部が形成され、上記他方の連結板の連結部分の、上記第１切欠き部に対応する部分に、上記両連結部分を交差させた状態で上記第１切欠き部と交差する第２切欠き部が形成され、上記交差する両切欠き部に板状体を保持可能にし、上記垂直材の上端部の凹部に両連結部分を収容して固定した状態で、上記交差する両切欠き部に保持された板状体を上記垂直材の上端部で支受可能にした木造建築用連結具を第２の要旨とする。
【考案の効果】
【０００７】
すなわち、本考案の第１の要旨の木造建築用連結具では、木造建築を構成する複数本の構造用材（柱等の垂直材や梁，桁等の横架材等）のうち、垂直材等の第１の構造用材の上端部に設けた凹部等に、交差する両連結部分を配設して固定し、これら交差する両連結部分のうち一方の連結部分から延設される固定部分を、横架材等の第２の構造用材に設けた凹部等に配設して固定するとともに、他方の連結部分から延設される固定部分を、横架材等の第３の構造用材に設けた凹部等に配設して固定することにより、３本の構造用材を本考案の第１の木造建築用連結具で連結，固定する（接合する）ことができる。しかも、このような連結状態で、上記交差する両切欠き部に保持された板状体を、上記垂直材の上端部で支受させることができるため、上記垂直材の上端部に対し、その上側に連結される別の垂直材の自重等の大きな負荷が上記両連結部分を介して作用しても、上記負荷を上記両連結部分を介して上記凹部等で支受することができるだけでなく、上記板状体を介して上記垂直材の上端部でも支受することができ、長期にわたって上記凹部等の根元部分にひびが入るおそれがない。
【０００８】
また、本考案の第２の要旨の木造建築用連結具は、本考案の第１の木造建築用連結具を用い、木造建築を構成する垂直材の上端部に、少なくとも２本の横架材の一端部を連結するようにしている。したがって、本考案の第２の木造建築用連結具でも、本考案の第１の木造建築用連結具と同様の作用・効果を奏する。
【０００９】
本考案において、上記垂直材の上端部に形成された凹部が、上記垂直材の上端面を横切る状態でこの上端面から垂直材の長手方向に沿って延びる第１のスリットと、この第１のスリットと交差し上記上端面を横切る状態でこの上端面から垂直材の長手方向に沿って延びる第２のスリットとからなり、上記各横架材の一端部に形成された凹部が、上記各横架材の一端部の端面を横切る状態でこの端面から横架材の長手方向に沿って延びるスリットからなる場合には、垂直材の上端部に、互いに交差する２本のスリットを形成し、各横架材の一端部にそれぞれ１本のスリットを形成するだけで、垂直材および各横架材に凹部を形成することができる。
【００１０】
また、本考案において、上記垂直材の上端面に、上記交差する両切欠き部に保持された板状体を挿入しうる板状体挿入用凹部が形成され、この板状体挿入用凹部の底面で、上記垂直材の上端部の凹部に両連結部分を収容して固定した状態で上記両切欠き部に保持された板状体を支受可能にした場合には、垂直材の上端面に板状体挿入用凹部を形成することで、その底面を利用し、垂直材の上端部の凹部に両連結部分を収容して固定した状態で上記交差する両切欠き部に保持された板状体を支受することができる。
【００１１】
本考案において、上記連結部分の両横端面の一方のみから固定部分が延設されている場合、例えば、両連結部分の一横端面のみから固定部分が延設されている場合には、延木造建築を構成する垂直材の上端部に、少なくとも２本の横架材（垂直材に所定の方向に接合される第１の横架材と、この第１の横架材に対し交差する方向で垂直材に接合される第２の横架材）の一端部を接合することができる。すなわち、交差する２つの連結部分を垂直材の上端部に形成された凹部（例えば、交差する２本のスリット）に配設して固定した状態で、２つの連結部分のうち一方の連結部分から延設される固定部分を第１の横架材の一端部の凹部（例えば、１本のスリット）に差し込んで固定し、他方の連結部分から延設される固定部分を第２の横架材の一端部の凹部（例えば、１本のスリット）に差し込んで固定することにより、垂直材に２本の横架材を接合することができる。
【００１２】
また、本考案において、上記連結部分の両横端面の双方から固定部分が延設されている場合、例えば、一方の連結部分の両横端面から固定部分が延設され、他方の連結部分の一端横面のみから固定部分が延設されている場合には、垂直材の上端部に、少なくとも３本の横架材（垂直材に所定の方向に相対向状に接合される第１および第２の横架材と、これら両横架材に対し交差する方向で垂直材に接合される第３の横架材）の一端部を接合することができる。すなわち、交差する２つの連結部分を垂直材の上端部に形成された凹部（例えば、交差する２本のスリット）に配設して固定した状態で、２つの連結部分のうち一方の連結部分から延設される両固定部分を第１および第２の横架材の一端部の凹部（例えば、１本のスリット）に差し込んで固定し、他方の連結部分から延設される固定部分を第３の横架材の一端部の凹部（例えば、１本のスリット）に差し込んで固定することにより、垂直材に３本の横架材を接合することができる。しかも、一枚の連結板で第１および第２の横架材を垂直材を介して連結しているため、第１もしくは第２の横架材と、これに接合される一方の固定部分との間に外力が作用しても、この接合部分だけで上記外力を受け止めるのではなく、第２もしくは第１の横架材と他方の固定部分との接合部分でも受け止めることができ、強度的に優れる。
【００１３】
また、例えば、両連結板の両横端面から固定部分が延設されている場合には、垂直材の上端部に、少なくとも４本の横架材（垂直材に所定の方向に相対向状に接合される第１および第２の横架材と、これら両横架材に対し交差する方向で相対向状に垂直材に接合される第３および第４の横架材）の一端部を接合することができる。すなわち、交差する２つの連結部分を垂直材の上端部に形成された凹部（例えば、交差する２本のスリット）に配設して固定した状態で、２つの連結部分のうち一方の連結部分から延設される両固定部分を第１および第２の横架材の一端部の凹部（例えば、１本のスリット）に差し込んで固定し、他方の連結部分から延設される両固定部分を第３および第４の横架材の一端部の凹部（例えば、１本のスリット）に差し込んで固定することにより、垂直材に４本の横架材を接合することができる。また、垂直材の上端面に形成された凹部に、上記交差する両切欠き部に嵌挿させた板状体を挿入して凹部の底面で支受させることができる。
【００１４】
本考案において、上記連結部分の両横端面の双方から延設される両固定部分の下面から凸部が突設され、これら両凸部間に垂直材が内嵌状に配設されている場合には、垂直材に連結部分を強固に固定することができる。
【００１５】
また、本考案において、上記連結部分の上端面から固定部分が延設されている場合には、垂直材の上端部に、別の垂直材の下端部を接合することができる。すなわち、交差する２つの連結部分を垂直材の上端部に形成された凹部（例えば、交差する２本のスリット）に収容して固定した状態で、その上側に接合される垂直材の下端部に形成された（例えば、交差する２本のスリット）の一方に差し込んで固定することにより、垂直材の上端部に別の垂直材の下端部を接合することができる。
【００１６】
さらに、本考案において、上記連結部分の両横端面の少なくとも一方から延設される固定部分の上面もしくは下面から、ブレースを連結，固定するためのブレース取付部分が突設されている場合には、本考案の第１および第２の木造建築用連結具を利用し、ブレースを連結，固定することができる。
【００１７】
本考案において、上記連結部分の両横端面の少なくとも一方から延設される固定部分の上面もしくは下面にブレース取付部分が着脱自在に突設されている場合には、上記固定部分からブレース取付部分を取り外して使用することができる。
【００１８】
また、本考案において、上記連結部分の上端面から延設される固定部分の横側面の少なくとも一方から、ブレースを接合するためのブレース取付部分が突設されている場合にも、本考案の第１および第２の木造建築用連結具を利用し、ブレースを連結，固定することができる。
【００１９】
さらにまた、本考案において、上記連結部分の上端面から延設される固定部分の横側面の少なくとも一方からブレース取付部分が着脱自在に突設されている場合にも、上記固定部分からブレース取付部分を取り外して使用することができる。
【考案を実施するための最良の形態】
【００２０】
つぎに、本考案を実施するための最良の形態について説明する。ただし、本考案は、この実施の形態に限られるものではない。
【００２１】
図１は本考案の木造建築用連結具の一実施の形態を示している。図において、１は木造建築用連結具であり、２枚１組の連結板１０，１１と圧力緩和板１２とからなっている。上記両連結板１０，１１は、木造建築（図２参照）を構成する構造用材（複数本の断面形状四角形の柱２，２′等の垂直材および断面形状四角形の土台３，梁４等の横架材）のうち、所定の柱２の上端部２ａに形成された十字状スリット７に挿入，固定され、この固定状態で上記圧力緩和板１２が、上記柱２の上端部２ａに形成された挿入用凹部９の底面に支受されている。また、上記固定された両連結板１０，１１に４本の梁４の一端部４ａが互いに直交する状態で接合されるとともに、別の柱２′の下端部２ｂが接合され、かつ、金属製ブレース５の一端部が接合されている（図３参照）。このように、上記両連結板１０，１１を柱２の上端部２ａの十字状スリット７に挿入，固定した状態では、上記圧力緩和板１２を、柱２の上端部２ａの挿入用凹部９の底面で支受することができるため、柱２の上端部２ａに対し、その上側に連結される別の柱２′の自重等の大きな負荷が上記両連結板１０，１１に作用しても、この負荷を十字状スリット７の底面で支受することができるだけでなく、挿入用凹部９の底面でも支受することができ、長期にわたって十字状スリット７の根元部分にひびが入るおそれがない。
【００２２】
つぎに、上記木造建築用連結具１をより詳しく説明する。上記木造建築用連結具１は、上記のとおり、平板状に形成された第１連結板（他方の連結板）１０と、これに直交する状態で連結され平板状に形成された第２連結板（一方の連結板）１１と、平板状に形成された圧力緩和板（板状体）１２とで構成されている（図４参照）。
【００２３】
上記第１連結板１０は、図５に示すように、中央の連結部分１３と、この連結部分１３の両横端面から延設される（すなわち、連結部分１３の両横側に形成される）第１および第２横側差し込み部分（固定部分）１４，１５と、上記連結部分１３の上端面から延設される（すなわち、連結部分１３の上側に形成される）上側差し込み部分（固定部分）１６とを一体成形してなる本体部分１７と、この本体部分１７の４隅に着脱自在に取り付けられる平板状のブレース取付部分１８とからなっている。
【００２４】
上記連結部分１３には、その下端面の横幅方向中央部から上方に（真上に）向かって所定の距離だけ延びる第１係合用縦溝１０ａが形成されており、上記両連結板１０，１１を直交させた状態で上記第２連結板１１の第２係合用縦溝１１ａに着脱自在に係合するようにしている（図１参照）。また、上記連結部分１３の上端部には、第１係合用縦溝１０ａから上側に所定の距離だけ離間した位置に筋状の第１切欠き部１３ａが横向き（真横）に向かって形成されている。
【００２５】
また、上記両横側差し込み部分１４，１５には、その上端面および下端面にそれぞれ、奥側に向かって拡がる係合凹部１４ａ，１４ａ′，１５ａ，１５ａ′が形成されており、これら各係合凹部１４ａ，１４ａ′，１５ａ，１５ａ′にブレース取付部分１８を、その表面側もしくは裏面側から着脱自在に、かつ、凹凸結合を利用し、上方もしくは下方に抜け止め状に取り付けるられるようにしている。より詳しく説明すると、上記上端面に形成される上側係合凹部１４ａ，１５ａは、上端面から垂下する垂直辺と、上端面から内側に向かって傾斜状に延びる内側辺と、垂直辺の下端と内側辺の下端とを結ぶ上り傾斜状の下辺とからなる（上面開放状の）四角形状に形成されており、上記下端面に形成される下側係合凹部１４ａ′，１５ａ′は、上側係合凹部１４ａ，１５ａに対応する部分に上側係合凹部１４ａ，１５ａと同様の形状に形成されている。
【００２６】
一方、上記各ブレース取付部分１８は、連結片１８ａと、ボルト挿通穴１８ｃが穿設された取付片１８ｂとからなっており、上記各係合凹部１４ａ，１４ａ′，１５ａ，１５ａ′に上記各連結片１８ａを、凹凸結合を利用し、その表面側もしくは裏面側から着脱自在に、かつ上方もしくは下方に抜け止め状に内嵌できるようにしている。
【００２７】
また、上記両横側差し込み部分１４，１５の下端面は、上記連結部分１３の下端面よりも下側に形成されており、上記両横側差し込み部分１４，１５の下部内端面および連結部分１３の下端面で形成される凹部１９が柱２の上端部２ａ（図１参照）に外嵌状に嵌着される。また、上記両横側差し込み部分１４，１５の上端面の端部には、上記各梁４（図１参照）の一端部４ａに挿通された係止ピン（図示せず）を支受するピン支受用凹部２０が形成されている。図において、１４ｂ，１５ｂは上記両横側差し込み部分１４，１５に穿設された丸孔で、この丸孔１４ｂ，１５ｂの穿設のために切り取られた円板状部分が、上記圧力緩和板１２の作製に利用される。また、２１は柱２の上端部２ａに連結部分１３を固定するための係止ピン（図示せず）を挿通するピン挿通穴で、２２は梁４の一端部４ａに横側差し込み部分１４，１５を固定するための係止ピン（図示せず）を挿通するピン挿通穴で、２３は別の柱２′に上側差し込み部分１６を固定するための係止ピン（図示せず）を挿通するピン挿通穴である。
【００２８】
一方、第２連結板１１は、図６に示すように、中央の連結部分２５と、この連結部分２５の両横端面から一体的に延設される第１および第２横側差し込み部分（固定部分）２６，２７とからなる本体部分２８と、この本体部分２８に着脱自在に固定される平板状のブレース取付部分１８（図５参照）とからなっている。
【００２９】
上記連結部分２５には、その上端面の横幅方向中央部から下方に（真下に）向かって所定の距離だけ延びる第２係合用縦溝１１ａが形成されており、上記したように、上記両連結板１０，１１を直交させた状態で、上記第１連結板１０の第１係合用縦溝１０ａに着脱自在に係合（嵌合）するようにしている（図１参照）。また、上記連結部分２５の上端部には、第２係合用縦溝１１ａの上部（第１切欠き部１３ａに対応する部分）に、第２係合用縦溝１１ａに交差する筋状の第２切欠き部２５ａが横向き（真横）に向かって形成されており、上記両係合用縦溝１０ａ，１１ａを係合（嵌合）させることにより上記両連結板１０，１１を直交させた状態で、上記両切欠き部１３ａ，２５ａが直交するようにしている。
【００３０】
また、上記両横側差し込み部分２６，２７には、その上端面および下端面にそれぞれ、上記第１連結板１０と同様に、上記各係合凹部１４ａ，１４ａ′，１５ａ，１５ａ′と同じ形状の係合凹部２６ａ，２６ａ′，２７ａ，２７ａ′が形成されており、これら各係合凹部２６ａ，２６ａ′，２７ａ，２７ａ′にブレース取付部分１８の連結片１８ａが、その表面側もしくは裏面側から着脱自在に、かつ上方もしくは下方に抜け止め状に内嵌される。
【００３１】
また、上記両横側差し込み部分２６，２７の下端面は、上記連結部分２５の下端面よりも下側に形成されており、上記両横側差し込み部分２６，２７の下部内端面および連結部分２５の下端面で形成される凹部２９が柱２の上端部２ａに外嵌状に嵌着される。また、上記両横側差し込み部分２６，２７の上端面の端部には、上記各梁４の一端部４ａに挿通された係止ピン（図示せず）を支受するピン支受用凹部３０が形成されている。図において、２６ｂ，２７ｂは上記両横側差し込み部分２６，２７に穿設された丸孔で、この丸孔２６ｂ，２７ｂの穿設のために切り取られた円板状部分が、上記圧力緩和板１２の作製に利用される。また、３１は柱２の上端部２ａに連結部分２５を固定するための係止ピン（図示せず）を挿通するピン挿通穴で、３２は梁４の一端部４ａに横側差し込み部分２６，２７を固定するための係止ピン（図示せず）を挿通するピン挿通穴である。
【００３２】
上記圧力緩和板１２は、上記両係合用縦溝１０ａ，１１ａを係合させることにより上記両連結板１０，１１を直交させた状態で、上記直交する両切欠き部１３ａ，２５ａに挿入させるものである。そのため、上記圧力緩和板１２の形状は、一定の制約がある。すなわち、上記直交する両切欠き部１３ａ，２５ａに挿入しうる形状であることを要する。この実施の形態では、第１連結板１０の両横側差し込み部分１４，１５もしくは第２連結板１１の両横側差し込み部分２６，２７の、上記丸孔１４ｂ，１５ｂもしくは２６ｂ，２７ｂの穿設のために切り取られた円板状部分１２ａを利用し、図７に示すような細長形状（すなわち、円板状部分１２ａの左右両側部分を切り取った形状）に形成している。
【００３３】
なお、上記圧力緩和板１２として、図８に示すように、上記円板状部分１２ａ（図７参照）を半円形状に２分割したものを用い、上記直交する両切欠き部１３ａ，２５ａに挿入する際には１枚ずつ別々に挿入し、挿入後に２枚で円形状となるようにしてもよい。また、上記圧力緩和板１２として、図９に示すように、上記円板状部分１２ａをそのまま用いてもよい。この場合には、上記両切欠き部１３ａ，２５ａの長さを長くし、上記直交する両切欠き部１３ａ，２５ａに挿入可能にすること、もしくは、上記円板状部分１２ａの大きさを、上記直交する両切欠き部１３ａ，２５ａに挿入可能な大きさに切欠くことを行う。
【００３４】
一方、上記各柱２，２′の上端部２ａおよび下端部２ｂ（図３参照）には、その端面から上記柱２，２′の長手方向に（すなわち、上下方向に）延びる十字状スリット７が、上記端面を横切る状態で形成されている。より詳しく説明すると、図１０および図１１に示すように、十字状スリット７の交点が上記端面の中心に位置決めされており、十字状スリット７の一方のスリット７ａが上記端面の一辺に平行に延びてこの端面を横切るとともに、上記一方のスリット７ａに直交する他方のスリット７ｂが、上記端面の（上記一辺に直交する）他辺に平行に延びてこの端面を横切っている。
【００３５】
また、上記各柱２，２′の上端部２ａの中央部分には、その上端面から上記柱２，２′の長手方向に（すなわち、上下方向に）延びる円形状の挿入用凹部（板状体挿入用凹部）９が所定の深さで形成されている。この挿入用凹部９は、上記圧力緩和板１２を挿入しうる大きさに形成されており、その内周面は、上記圧力緩和板１２の外周面（図７の圧力緩和板１２の場合には、相対向する両湾曲面で、図８の圧力緩和板１２の場合には、両半円弧面で、図９の圧力緩和板１２の場合には、円周面）に当接し、もしくは近接するようにしている。また、上記挿入用凹部９の深さは、両連結板１０，１１を直交させた状態で上記各柱２の上端部２ａに固定した際に、圧力緩和板１２の下面が挿入用凹部９の底面に当接し、圧力緩和板１２の上面が両切欠き部１３ａ，２５ａの上面に当接する深さに形成されている。これにより、上記両連結板１０，１１を直交させた状態で所定の柱２の上端部２ａに固定した際に、上記圧力緩和板１２を挿入用凹部９の底面で支受し、所定の柱２の上端部２ａに連結される別の柱２′の自重等の負荷の一部を圧力緩和板１２で受け止めうるようにしている。
【００３６】
また、上記各梁４の一端部４ａ（図３参照）には、その端面から上記梁４の長手方向に（すなわち、横方向に）延びる１本のスリット８が、その端面の中心を通って上下に横切る状態で形成されている。なお、上記各梁４の他端部にも、上記一端部４ａと同様に、１本のスリット８が形成されている。
【００３７】
上記の木造建築用連結具１を用い、所定の柱２の上端部２ａに４本の梁４と別の柱２′とを接合する場合には、まず、第１連結板１０を上側にし、第２連結板１１を下側にし、これら両連結板１０，１１を直交させた状態で両連結板１０，１１の係合用縦溝１０ａ，１１ａ同士を係合させる（図１２参照）。ついで、圧力緩和板１２を、直交する両切欠き部１３ａ，２５ａに挿入して保持させることにより、両連結板１０，１１を連結して木造建築用連結具１とする（図４参照）。
【００３８】
つぎに、木造建築用連結具１を柱２の上端部２ａの十字状スリット７上に載置する（図１３参照）。この状態では、両連結板１０，１１の連結部分１３，２５は柱２の十字状スリット７内に収まっている（図３参照）。また、両連結板１０，１１の凹部１９，２９が柱２の上端部２ａに（横方向への移動防止状に）嵌着している。また、上記圧力緩和板１２が、その下面が挿入用凹部９の底面に当接した状態（すなわち、上記圧力緩和板１２が挿入用凹部９の底面で支受された状態）で挿入用凹部９内に配設されている（図３参照）。
【００３９】
つぎに、両連結板１０，１１を柱２の上端部２ａに固定する。この固定は、両連結板１０，１１のピン挿通穴２１，３１に対応する上記柱２の上端部２ａの部分に貫通状に穿設されたピン通し穴（図示せず）に係止ピンを、両連結板１０，１１のピン挿通穴２１，３１を介して打ち込むことにより行う。
【００４０】
つぎに、柱２の上端部２ａに梁４の一端部４ａを近付け、柱２の上端部２ａから横側に突出する横側差し込み部分１４，１５，２６，２７を梁４の一端部４ａのスリット８に差し込むようにして連結し、横側差し込み部分１４，１５，２６，２７のピン支受用凹部２０，３０で、支梁４の一端部４ａに固定した係止ピンを支受した状態で、横側差し込み部分１４，１５，２６，２７を梁４の一端部４ａに、上記と同様に、係止ピンを用いて固定する。この状態では、両横側差し込み部分１４，１５，２６，２７およびブレース取付部分１８の連結片１８ａは各梁４の一端部４ａのスリット８内に収まっており、ブレース取付部分１８の取付片１８ｂは各梁４から突出している（図４参照）。
【００４１】
また、柱２の上端部２ａに別の柱２′の下端部２ｂを近付け、柱２の上端部２ａから上側に突出する上側差し込み部分１６を別の柱２′の下端部２ｂの十字状スリット７の一方に差し込むようにして連結し、上記と同様に、係止ピンを用いて固定する。この状態では、上側差し込み部分１６は別の柱２′の下端部２ｂの十字状スリット７内に収まっている（図４参照）。
【００４２】
また、ブレース取付部分１８の取付片１８ｂとブレース５の一端部に設けた固定板（図示せず）とをボルト止めする。
【００４３】
上記のように、この実施の形態では、木造建築用連結具１を柱２の上端部２ａに連結固定した状態では、交差する両切欠き部１３ａ，２５ａに保持させた圧力緩和板１２を、柱２の上端部２ａの上端面に形成され挿入用凹部９の底面で支受させることができるため、柱２の上端部２ａに対し、その上側に連結される別の柱２′の自重等の大きな負荷が両連結部分１３，２５を介して作用しても、この負荷を上側差し込み部分１６，両連結部分１３，２５を介して十字状スリット７の底面で支受することができるだけでなく、圧力緩和板１２を介して挿入用凹部９の底面でも支受することができる。したがって、長期にわたって十字状スリット７の根元部分にひびが入るおそれがない。しかも、柱２の上端部２ａの十字状スリット７に木造建築用連結具１を載置して固定するだけで、十字状スリット７に木造建築用連結具１をセットすることができ、作業性に優れる。しかも、上記木造建築用連結具１は、着脱自在な２枚の連結板１０，１１で構成されているため、搬送時等に両連結板１０，１１を別々にして重ね合わせた状態で搬送することができ、嵩張らない。しかも、ブレース取付部分１８によりブレース５を連結，固定することもできる。さらに、ブレース取付部分１８が両連結板１０，１１に着脱自在であるため、ブレース取付部分１８を取り外した状態でも使用することができる。そのうえ、両連結板１０，１１に設けた凹部１９，２９により、両連結板１０，１１を柱２の上端部２ａに強固に固定することができる。しかも、両連結板１０，１１で相対向する２本の梁４を柱２を介して接合しているため、相対向する２本の梁４のうち一方の梁４と、これに接合される一方の横側差し込み部分１４（１５），２６（２７）との間に外力が作用しても、この接合部分だけで上記外力を受け止めるのではなく、他方の梁４と他方の横側差し込み部分１５（１４），２７（２６）との接合部分でも受け止めることができ、強度的に優れる。
【００４４】
図１４は本考案の木造建築用連結具の他の実施の形態を示している。この実施の形態では、上記木造建築用連結具１は、柱２の上端部２ａに、この上端部２ａに互いに直交する状態で接合される２本の梁４の一端部４ａを接合するとともに、上記柱２の上側に別の柱２′を接合し（図１５参照）、かつ、金属製ブレース５（図４参照）の一端部を接合するためのものである。
【００４５】
このような木造建築用連結具１を構成する第１連結板４１は、図５に示す第１連結板１０において、連結部分１３の一横端面にだけ横側差し込み部分１４を延設したものを用いている。また、第２連結板４２は、図６に示す第２連結板１１において、連結部分２５の一横端面にだけ横側差し込み部分２６を延設したものを用いている。このため、上記両連結板４１，４２に凹部２９は形成されていない。それ以外の部分は上記実施の形態と同様であり、同様の部分には同じ符号を付している。この実施の形態でも、上記実施の形態と同様の作用・効果を奏する。
【００４６】
なお、上記各連結板１０，１１，４１，４２を構成する金属材料としては、通常、ＳＳ材（一般構造用圧延鋼材），ＳＭ材（溶接構造用圧延鋼材）等が用いられる。
【００４７】
また、上記両実施の形態において、上記各連結板１０，１１、４１，４２の少なくとも１つにブレース取付部分１８が一体形成されていてもよい。
【００４８】
また、上記両実施の形態において、上側差し込み部分１６が形成されていなくてもよい。この場合には、柱２の上端部２ａに別の柱２′の下端部２ｂを接合することはできない。また、図１〜図１２に示す実施の形態において、両連結板１０，１１のいずれか一方に横側差し込み部分１４，１５，２６，２７が１つだけ形成されていてもよい。また、図１４および図１５に示す実施の形態において、両連結板１０，１１のいずれか一方に横側差し込み部分１４，１５，２６，２７が２つ形成されていてもよい。
【図面の簡単な説明】
【００４９】
【図１】本考案の木造建築用連結具の一実施の形態を示す説明図である。
【図２】木造建築の説明図である。
【図３】上記木造建築の接合部分の説明図である。
【図４】上記木造建築用連結具の斜視図である。
【図５】第１連結板の説明図である。
【図６】第２連結板の平面図である。
【図７】圧力緩和板の平面図である。
【図８】上記圧力緩和板の変形例を示す平面図である。
【図９】上記圧力緩和板の他の変形例を示す平面図である。
【図１０】柱の平面図である。
【図１１】上記柱の上端部の断面図である。
【図１２】上記木造建築用連結具の説明図である。
【図１３】上記木造建築用連結具を柱に取り付けた状態を示す斜視図である。
【図１４】本考案の木造建築用連結具の他の実施の形態を示す説明図である。
【図１５】接合部分の説明図である。
【図１６】従来例を示す斜視図である。
【図１７】接合部分の説明図である。
【図１８】従来例の木造建築用連結具を柱に取り付けた状態を示す斜視図である。
【符号の説明】
【００５０】
１０  第１連結板
１０ａ  第１係合用縦溝
１１  第２連結板
１１ａ  第２係合用縦溝
１２  圧力緩和板
１３，２５  連結部分
１３ａ  第１切欠き部
２５ａ  第２切欠き部
１４，１５，２６，２７  横側差し込み部分
【図１】
0003139568.tif 000003
【図２】
0003139568.tif 000004
【図３】
0003139568.tif 000005
【図４】
0003139568.tif 000006
【図５】
0003139568.tif 000007
【図６】
0003139568.tif 000008
【図７】
0003139568.tif 000009
【図８】
0003139568.tif 000010
【図９】
0003139568.tif 000011
【図１０】
0003139568.tif 000012
【図１１】
0003139568.tif 000013
【図１２】
0003139568.tif 000014
【図１３】
0003139568.tif 000015
【図１４】
0003139568.tif 000016
【図１５】
0003139568.tif 000017
【図１６】
0003139568.tif 000018
【図１７】
0003139568.tif 000019
【図１８】
0003139568.tif 000020